(57)【特許請求の範囲】
【請求項１】
有機ＥＬディスプレイの輝度制御方法において、
デジタル映像入力信号に基づいて、１画面毎に、全画素または所定領域の画素に対するＲＧＢそれぞれの入力信号積算値を算出し、そのＲＧＢ積算値を所定の比率で加算した値または該値に等化な値を、１画面単位のＲＧＢ加重加算値として算出する第１ステップ、および
デジタル映像入力信号をアナログ映像出力信号に変換するためのＤＡ変換器に供給されるリファレンス電圧を、第１ステップによって算出された１画面単位のＲＧＢ加重加算値に基づいて制御することにより、アナログ映像出力信号の振幅を制御し、振幅制御後のアナログ映像出力信号を有機ＥＬディスプレイに供給する第２ステップ、
を備えていることを特徴とする有機ＥＬディスプレイの輝度制御方法。
【請求項２】
第２ステップは、第１ステップによって算出された１画面単位のＲＧＢ加重加算値が大きいときにアナログ映像出力信号の振幅が小さくなるように、アナログ映像出力信号の振幅を制御することを特徴とする請求項１に記載の有機ＥＬディスプレイの輝度制御方法。
【請求項３】
ＤＡ変換器に供給されるリファレンス電圧には、入力信号の黒レベルに対する発光輝度を規定するための黒側リファレンス電圧と入力信号の白レベルに対する発光輝度を規定するための白側リファレンス電圧とがあり、第２ステップは、白側リファレンス電圧を、第１ステップによって算出された１画面単位のＲＧＢ加重加算値に基づいて制御することを特徴とする請求項２に記載の有機ＥＬディスプレイの輝度制御方法。
【請求項４】
１画面単位のＲＧＢ加重加算値を算出するために用いられる比率は、有機ＥＬディスプレイに含まれるＲ発光素子、Ｇ発光素子およびＢ発光素子のうち、発光輝度の経時的劣化速度が早いと想定される発光素子の発光色に対応する比率ほど大きな値に設定されていることを特徴とする請求項１、２または３のいずれかに記載の有機ＥＬディスプレイの輝度制御方法。
【請求項５】
有機ＥＬディスプレイの輝度制御回路において、
所与のリファレンス電圧によって規定される入出力特性に基づいて、デジタル映像入力信号をアナログ映像出力信号に変換して、有機ＥＬディスプレイに供給するＤＡ変換器と、デジタル映像入力信号に基づいて、ＤＡ変換器に供給されるリファレンス電圧を制御するリファレンス電圧制御回路とを備えており、リファレンス電圧制御回路は、デジタル映像入力信号に基づいて、１画面毎に、全画素または所定領域の画素に対するＲＧＢそれぞれの入力信号積算値を算出し、そのＲＧＢ積算値を所定の比率で加算した値または該値に等化な値を、１画面単位のＲＧＢ加重加算値として算出するＲＧＢ加重加算値算出回路と、ＲＧＢ加重加算値算出回路によって算出された１画面単位のＲＧＢ加重加算値に基づいて、ＤＡ変換器に供給されるリファレンス電圧を制御する電圧調整回路とを備えていることを特徴とする有機ＥＬディスプレイの輝度制御回路。
【請求項６】
ＤＡ変換器に供給されるリファレンス電圧には、入力信号の黒レベルに対する発光輝度を規定するための黒側リファレンス電圧と、入力信号の白レベルに対する発光輝度を規定するための白側リファレンス電圧とがあり、電圧調整回路はＲＧＢ加重加算値算出回路によって算出された１画面単位のＲＧＢ加重加算値に基づいて、白側リファレンス電圧を制御することを特徴とする請求項５に記載の有機ＥＬディスプレイの輝度制御回路。
【請求項７】
電圧調整回路は、ＲＧＢ加重加算値算出回路によって算出された１画面単位のＲＧＢ加重加算値が大きいときに、入力信号の白レベルに対する発光輝度が低くなるように、白側リファレンス電圧を制御することを特徴とする請求項６に記載の有機ＥＬディスプレイの輝度制御回路。
【請求項８】
電圧調整回路は、ＲＧＢ加重加算値算出回路によって算出された１画面単位のＲＧＢ加重加算値に基づいて、白側リファレンス電圧を制御するためのゲインを算出するゲイン算出回路、ゲイン算出回路によって算出されたゲインに基づいて、白側リファレンス電圧を制御する制御回路を備えていることを特徴とする請求項６または請求項７のいずれかに記載の有機ＥＬディスプレイの輝度制御回路。
【請求項９】
ゲイン算出回路は、入力される１画面単位のＲＧＢ加重加算値が所定値以下である場合には出力ゲインを一定値とし、入力される１画面単位のＲＧＢ加重加算値が所定値を越える場合には入力される１画面単位のＲＧＢ加重加算値が大きいほど出力ゲインを小さくさせる入出力特性を有しており、制御回路はゲインが小さいほど入力信号の白レベルに対する発光輝度が低くなるように、白側リファレンス電圧を制御するものであることを特徴とする請求項８に記載の有機ＥＬディスプレイの輝度制御回路。
【請求項１０】
１画面単位のＲＧＢ加重加算値を算出するために用いられる比率は、有機ＥＬディスプレイに含まれるＲ発光素子、Ｇ発光素子およびＢ発光素子のうち、発光輝度の経時的劣化速度が早いと想定される発光素子の発光色に対応する比率ほど大きな値に設定されていることを特徴とする請求項６、７、８または９のいずれかに記載の有機ＥＬディスプレイの輝度制御回路。
【発明の詳細な説明】
【０００１】
【発明の属する技術分野】
この発明は、有機エレクトロルミッネッセンス（有機ＥＬ）ディスプレイの輝度制御方法および輝度制御回路に関する。
【０００２】
【従来の技術】
有機ＥＬディスプレイには、単純マトリクス構造のパッシブ型と、ＴＦＴを用いるアクティブ型とがある。
【０００３】
図１は、アクティブ型の有機ＥＬディスプレイの基本画素構成を示している。
【０００４】
アクティブ型の有機ＥＬディスプレイの１画素分の回路は、スイッチング用ＴＦＴ１０１と、コンデンサ１０２と、駆動用ＴＦＴ１０３と、有機ＥＬ素子１０４とから構成されている。
【０００５】
スイッチング用ＴＦＴ１０１のドレインには、表示信号ライン１１１を介して表示信号Data(Vin) が印加される。スイッチング用ＴＦＴ１０１のベースには、選択信号ライン１１２を介して選択信号SCANが印加される。スイッチング用ＴＦＴ１０１のソースは、駆動用ＴＦＴ１０３のベースに接続されているとともに、コンデンサ１０２を介して接地されている。
【０００６】
駆動用ＴＦＴ１０３のドレインには、電源ライン１１３を介して駆動電源電圧Vdd が印加されている。駆動用ＴＦＴ１０３のソースは、有機ＥＬ素子１０４の陽極に接続されている。有機ＥＬ素子１０４の陰極は接地されている。
【０００７】
スイッチング用ＴＦＴ１０１は、選択信号SCANによってオンオフ制御される。コンデンサ１０２は、スイッチング用ＴＦＴ１０１がオンのときに、スイッチング用ＴＦＴ１０１を介して供給される表示信号Data(Vin) によって充電される。そして、スイッチング用ＴＦＴ１０１がオフのときには、充電電圧を保持する。駆動用ＴＦＴ１０３は、そのベースに加えられるコンデンサ１０２の保持電圧に応じた電流を有機ＥＬ素子１０４に供給する。
【０００８】
図２は、図１に示す基本画素構成において、表示信号Data(Vin) と有機ＥＬ素子１０４の発光輝度（駆動電流）との関係を示している。
【０００９】
図２において、RefWは入力信号の白レベルに対する発光輝度を規定するための白側リファレンス電圧を、RefBは入力信号の黒レベルに対する発光輝度を規定するための黒側リファレンス電圧を、それぞれ示している。
【００１０】
【発明が解決しようとする課題】
ところで、上記のようなアクティブ型の有機ＥＬディスプレイでは、画面全体が明るい画像では、有機ＥＬ素子１０４に大きな電流が流れる。有機ＥＬ素子１０４に大きな電流が流れると、消費電力が多くなる。また、有機ＥＬ素子１０４に大きな電流が継続して流れると、その性能の劣化を早める。したがって、長期間にわたって有機ＥＬディスプレイを使用すると、有機ＥＬ素子が劣化し、発光輝度が低下する。
【００１１】
カラー有機ＥＬディスプレイにおいては、ＲＧＢをそれぞれ発光する３種類の有機ＥＬ素子（Ｒ発光素子、Ｇ発光素子、Ｂ発光素子）で、１つの画素が構成される。このようなカラー有機ＥＬディスプレイでは、それに用いられるＲＧＢ毎の発光素子の種類に起因して、それらのＲＧＢ毎の発光素子の間での発光輝度の経時的劣化速度（たとえば、発光素子を継続的に発光させた場合の所定時間経過後の発光輝度の低下率）にばらつきがある場合が多い。
【００１２】
この発明は、有機ＥＬディスプレイに用いられているＲＧＢの発光素子の種類に起因して、それらのＲＧＢ毎の発光素子の間での発光輝度の経時的劣化速度にばらつきがある場合に、有機ＥＬディスプレイの寿命を延ばすことが可能となる有機ＥＬディスプレイの輝度制御方法および輝度制御回路を提供することを目的とする。
【００１３】
【課題を解決するための手段】
請求項１に記載の発明は、有機ＥＬディスプレイの輝度制御方法において、デジタル映像入力信号に基づいて、１画面毎に、全画素または所定領域の画素に対するＲＧＢそれぞれの入力信号積算値を算出し、そのＲＧＢ積算値を所定の比率で加算した値または該値に等化な値を、１画面単位のＲＧＢ加重加算値として算出する第１ステップ、およびデジタル映像入力信号をアナログ映像出力信号に変換するためのＤＡ変換器に供給されるリファレンス電圧を、第１ステップによって算出された１画面単位のＲＧＢ加重加算値に基づいて制御することにより、アナログ映像出力信号の振幅を制御し、振幅制御後のアナログ映像出力信号を有機ＥＬディスプレイに供給する第２ステップを備えていることを特徴とする。
【００１４】
請求項２に記載の発明は、請求項１に記載の発明において、第２ステップは、第１ステップによって算出された１画面単位のＲＧＢ加重加算値が大きいときにアナログ映像出力信号の振幅が小さくなるように、アナログ映像出力信号の振幅を制御することを特徴とする。
【００１６】
請求項３に記載の発明は、請求項２に記載の発明において、ＤＡ変換器に供給されるリファレンス電圧には、入力信号の黒レベルに対する発光輝度を規定するための黒側リファレンス電圧と入力信号の白レベルに対する発光輝度を規定するための白側リファレンス電圧とがあり、第２ステップは、白側リファレンス電圧を、第１ステップによって算出された１画面単位のＲＧＢ加重加算値に基づいて制御することを特徴とする。
【００１７】
請求項４に記載の発明は、請求項１乃至３に記載の発明において、１画面単位のＲＧＢ加重加算値を算出するために用いられる比率は、有機ＥＬディスプレイに含まれるＲ発光素子、Ｇ発光素子およびＢ発光素子のうち、発光輝度の経時的劣化速度が早いと想定される発光素子の発光色に対応する比率ほど大きな値に設定されていることを特徴とする。
【００１８】
請求項５に記載の発明は、有機ＥＬディスプレイの輝度制御回路において、所与のリファレンス電圧によって規定される入出力特性に基づいて、デジタル映像入力信号をアナログ映像出力信号に変換して、有機ＥＬディスプレイに供給するＤＡ変換器と、デジタル映像入力信号に基づいて、ＤＡ変換器に供給されるリファレンス電圧を制御するリファレンス電圧制御回路とを備えており、リファレンス電圧制御回路は、デジタル映像入力信号に基づいて、１画面毎に、全画素または所定領域の画素に対するＲＧＢそれぞれの入力信号積算値を算出し、そのＲＧＢ積算値を所定の比率で加算した値または該値に等化な値を、１画面単位のＲＧＢ加重加算値として算出するＲＧＢ加重加算値算出回路と、ＲＧＢ加重加算値算出回路によって算出された１画面単位のＲＧＢ加重加算値に基づいて、ＤＡ変換器に供給されるリファレンス電圧を制御する電圧調整回路とを備えていることを特徴とする。
【００１９】
請求項６に記載の発明は、請求項５に記載の発明において、ＤＡ変換器に供給されるリファレンス電圧には、入力信号の黒レベルに対する発光輝度を規定するための黒側リファレンス電圧と、入力信号の白レベルに対する発光輝度を規定するための白側リファレンス電圧とがあり、電圧調整回路はＲＧＢ加重加算値算出回路によって算出された１画面単位のＲＧＢ加重加算値に基づいて、白側リファレンス電圧を制御することを特徴とする。
【００２０】
請求項７に記載の発明は、請求項６に記載の発明において、電圧調整回路は、ＲＧＢ加重加算値算出回路によって算出された１画面単位のＲＧＢ加重加算値が大きいときに、入力信号の白レベルに対する発光輝度が低くなるように、白側リファレンス電圧を制御することを特徴とする。
【００２１】
請求項８に記載の発明は、請求項６乃至７に記載の発明において、電圧調整回路は、ＲＧＢ加重加算値算出回路によって算出された１画面単位のＲＧＢ加重加算値に基づいて、白側リファレンス電圧を制御するためのゲインを算出するゲイン算出回路、ゲイン算出回路によって算出されたゲインに基づいて、白側リファレンス電圧を制御する制御回路を備えていることを特徴とする。
【００２２】
請求項９に記載の発明は、請求項８に記載の発明において、ゲイン算出回路は、入力される１画面単位のＲＧＢ加重加算値が所定値以下である場合には出力ゲインを一定値とし、入力される１画面単位のＲＧＢ加重加算値が所定値を越える場合には入力される１画面単位のＲＧＢ加重加算値が大きいほど出力ゲインを小さくさせる入出力特性を有しており、制御回路はゲインが小さいほど入力信号の白レベルに対する発光輝度が低くなるように、白側リファレンス電圧を制御するものであることを特徴とする。
【００２３】
請求項１０に記載の発明は、請求項５乃至９に記載の発明において、１画面単位のＲＧＢ加重加算値を算出するために用いられる比率は、有機ＥＬディスプレイに含まれるＲ発光素子、Ｇ発光素子およびＢ発光素子のうち、発光輝度の経時的劣化速度が早いと想定される発光素子の発光色に対応する比率ほど大きな値に設定されていることを特徴とする。
【００２４】
【発明の実施の形態】
以下、図３〜図６を参照して、 この発明の実施の形態について説明する。
【００２５】
図３は、有機ＥＬディスプレイの輝度制御回路の構成を示している。
【００２６】
有機ＥＬディスプレイの輝度制御回路は、リファレンス電圧制御回路１とＤＡＣ２とを備えている。デジタル映像入力信号R ＿in，G ＿in，B ＿inは、リファレンス電圧制御回路１に送られるとともに、ＤＡＣ２に送られる。リファレンス電圧制御回路１は、ＤＡＣ２に供給されるリファレンス電圧を制御する。ＤＡＣ２に供給されるリファレンス電圧には、R,G,B それぞれについて、黒側リファレンス電圧R ＿RefB, G ＿RefB, B ＿RefB( これらを総称するときには RefB と記載する) と、白側リファレンス電圧R ＿RefW, G ＿RefW, B ＿RefW( これらを総称するときには RefW と記載する) とがある。
【００２７】
黒側リファレンス電圧RefBとは、入力信号の黒レベルに対する発光輝度を規定するための基準電圧であり、この実施の形態では、固定されている。白側リファレンス電圧RefWとは、入力信号の白レベルに対する発光輝度を規定するための基準電圧であり、この実施の形態では、リファレンス電圧制御回路１によって制御される。
【００２８】
ＤＡＣ２は、リファレンス電圧制御回路１から供給される黒側リファレンス電圧RefBと白側リファレンス電圧RefW' とによって規定される入出力特性に基づいて、デジタル映像入力信号R ＿in，G ＿in，B ＿inをアナログ映像出力信号R ＿out ，G ＿out ，B ＿out に変換する。ＤＡＣ２によって得られるアナログ映像出力信号R ＿out ，G ＿out ，B ＿out は、有機ＥＬディスプレイ３に供給される。このアナログ映像出力信号R ＿out ，G ＿out ，B ＿out は、図１の表示信号Data(Vin) に相当する。
【００２９】
リファレンス電圧制御回路１は、３つの乗算器１１、１２、１３、１つの加算器１４、積算回路１５、ゲイン算出回路１６、リファレンス電圧調整回路（Ref 電圧調整回路）１７および複数のＤＡＣ１８〜２３を備えている。
【００３０】
乗算器１１は、デジタル映像入力信号R ＿inに加重加算係数ＫR を１画素毎に乗算する。乗算器１２は、デジタル映像入力信号G ＿inに加重加算係数ＫG を１画素毎に乗算する。乗算器１３は、デジタル映像入力信号B ＿inに加重加算係数ＫB を１画素毎に乗算する。
加算器１４は、これらの乗算器１１、１２、１３の出力信号を１画素毎に加算する。積算回路１５は、１フレーム毎に、加算器１４の出力信号の積算値（以下、１フレーム単位のＲＧＢ加重加算値という）を算出する。ゲイン算出回路１６は、積算回路１５から得られる１フレーム毎のＲＧＢ加重加算値の大きさに応じて、白側リファレンス電圧RefWを制御するためのゲインGainを算出する。図４（ａ）および図４（ｂ）は、それぞれゲイン算出回路１６の入出力特性、つまり、１フレーム単位のＲＧＢ加重加算値に対するゲインの特性の例を示している。
【００３１】
図４（ａ）の特性では、１フレーム単位のＲＧＢ加重加算値が０〜ａまではゲインは１．００となり、１フレーム単位のＲＧＢ加重加算値がａを越えるとゲインは徐々に低下している。図４（ｂ）の特性では、１フレーム単位のＲＧＢ加重加算値が０〜ｂまではゲインは１．００となり、１フレーム単位のＲＧＢ加重加算値がｂ〜ｃまではゲインは緩やかに低下し、１フレーム単位のＲＧＢ加重加算値がｃを越えるとゲインはやや急激に低下している。
【００３２】
リファレンス電圧調整回路１７は、R,G,B 毎に予め設定された黒側リファレンス電圧( 以下、基準黒側リファレンス電圧という)R＿RefB, G ＿RefB, B ＿RefBと、R,G,B 毎に予め設定された白側リファレンス電圧( 以下、基準白側リファレンス電圧という)R＿RefW, G ＿RefW, B ＿RefWと、ゲイン算出回路１６によって算出されたゲインGainとに基づいて、R,G,B 毎の調整後の白側リファレンス電圧R ＿RefW', G＿RefW', B＿RefW' を生成する。
【００３３】
各基準黒側リファレンス電圧R ＿RefB, G ＿RefB, B ＿RefB  および各基準白側リファレンス電圧R ＿RefW, G ＿RefW, B ＿RefWは、デジタル信号として与えられている。
【００３４】
リファレンス電圧調整回路１７は、R,G,B それぞれに対するリファレンス電圧調整回路を含んでいるが、それぞれの構成は同じであるので、ここでは、R に対するリファレンス電圧調整回路について説明する。
【００３５】
図５は、R に対するリファレンス電圧調整回路を示している。
【００３６】
このリファレンス電圧調整回路は、減算器３１、乗算器３２および減算器３３を備えている。
【００３７】
減算器３１は、R に対する基準黒側リファレンス電圧R ＿RefBと、R に対する基準白側リファレンス電圧R ＿RefWとの差（R ＿RefB−R ＿RefW）を演算する。乗算器３２は、減算器３１の出力（R ＿RefB−R ＿RefW）にゲインGainを乗算する。減算器３３は、基準黒側リファレンス電圧R ＿RefBから乗算器３２の出力（ Gain ×（R ＿RefB−R ＿RefW）) を減算することにより、調整後の白側リファレンス電圧R ＿RefW' を算出する。
【００３８】
ゲインGainが１．００である場合には、調整後の白側リファレンス電圧R ＿RefW' は、基準白側リファレンス電圧R ＿RefWと等しくなる。そして、ゲインGainが小さくなるほど、つまり、１フレーム単位のＲＧＢ加重加算値が大きくなるほど、調整後の白側リファレンス電圧R ＿RefW' が大きくなり、基準黒側リファレンス電圧R ＿RefB側に近づく。つまり、１フレーム単位のＲＧＢ加重加算値が大きくなるほど、入力信号の白レベルに対する有機ＥＬ素子の発光輝度（駆動電流）が低下する。
【００３９】
各基準黒側リファレンス電圧R ＿RefB, G ＿RefB, B ＿RefB  は、それぞれＤＡＣ１８、１９、２０によってアナログ信号に変換されて、ＤＡＣ２に供給される。各調整後の白側リファレンス電圧R ＿RefW', G＿RefW', B＿RefW' は、それぞれＤＡＣ２１、２２、２３によってアナログ信号に変換されて、ＤＡＣ２に供給される。
【００４０】
図６は、ＤＡＣ２の入出力特性を示している。
【００４１】
図６において、RefW’１は、１フレーム単位のＲＧＢ加重加算値が小さい場合にＤＡＣ２に供給される白側リファレンス電圧（＝基準白側リファレンス電圧RefW) を示している。RefW’３は、１フレーム単位のＲＧＢ加重加算値が大きい場合にＤＡＣ２に供給される白側リファレンス電圧を示している。RefW’２は、１フレーム単位のＲＧＢ加重加算値が中間値である場合にＤＡＣ２に供給される白側リファレンス電圧を示している。
【００４２】
ＤＡＣ２に供給される白側リファレンス電圧がRefW’１である場合には、ＤＡＣ２の入出力特性は、直線Ｌ１で示される特性となる。この場合に、黒レベルから白レベルまで変化する入力信号をＤＡＣ２に周期的に入力すると、曲線Ｓ１に示すような出力波形が得られる。
【００４３】
ＤＡＣ２に供給される白側リファレンス電圧がRefW’３である場合には、ＤＡＣ２の入出力特性は、直線Ｌ３で示される特性となる。この場合に、黒レベルから白レベルまで変化する入力信号をＤＡＣ２に周期的に入力すると、曲線Ｓ３に示すような出力波形が得られる。
【００４４】
ＤＡＣ２に供給される白側リファレンス電圧がRefW’２である場合には、ＤＡＣ２の入出力特性は、直線Ｌ２で示される特性となる。この場合に、黒レベルから白レベルまで変化する入力信号をＤＡＣ２に周期的に入力すると、曲線Ｓ２に示すような出力波形が得られる。
【００４５】
つまり、白側リファレンス電圧を１フレーム単位のＲＧＢ加重加算値に応じて制御することにより、ＤＡＣ２の出力信号の振幅が制御されていることがわかる。
【００４６】
ところで、有機ＥＬディスプレイ３においては、ＲＧＢをそれぞれ発光する３種類の有機ＥＬ素子で、１つの画素が構成されている。このような有機ＥＬディスプレイ３は、ＲＧＢの各色発光用の有機ＥＬ素子（Ｒ発光素子、Ｇ発光素子、Ｂ発光素子）を含んでいる。このような有機ＥＬディスプレイ３では、それに用いられるＲＧＢ毎の発光素子の種類に起因して、それらのＲＧＢ毎の発光素子の間での発光輝度の経時的劣化速度（たとえば、発光素子を継続的に発光させた場合の所定時間経過後の発光輝度の低下率）にばらつきがある場合が多い。
【００４７】
このような場合には、乗算器１１、１２、１３に与えられる加重加算数ＫR 、ＫG 、ＫB として、発光輝度の経時的劣化速度が早い（寿命の短い）発光素子の色に対応するものほど、大きな値を設定することによって、有機ＥＬディスプレイ３の寿命を延ばすことが可能となる。
【００４８】
例えば、Ｒ発光素子、Ｇ発光素子およびＢ発光素子それぞれの発光輝度の経時的劣化速度が図７に示すような場合を想定する。
【００４９】
Ｒ発光素子、Ｇ発光素子およびＢ発光素子それぞれの発光輝度の経時的劣化速度は、例えば、Ｒ発光素子、Ｇ発光素子およびＢ発光素子それぞれを白１００％で継続的に点灯させた状態での、１００００時間後のＲＧＢ各発光素子の発光輝度劣化比率（初期発光輝度に対する１００００時間後の発光輝度）ΔＲ（％）、ΔＧ（％）、ΔＢ（％）として求められる。
【００５０】
この例では、ΔＲ＞ΔＧ＞ΔＢであり、Ｒ発光素子の発光輝度の経時的劣化速度が最も早く、Ｂ発光素子の発光輝度の経時的劣化速度が最も遅く、Ｇ発光素子の発光輝度の経時的劣化速度がそれらの中間となっている。加重加算数ＫR 、ＫG 、ＫB は、次式（１）によって決定される。
【００５１】
ＫR ＝ΔＲ／（ΔＲ＋ΔＧ＋ΔＢ）
ＫG ＝ΔＧ／（ΔＲ＋ΔＧ＋ΔＢ）
ＫB ＝ΔＢ／（ΔＲ＋ΔＧ＋ΔＢ）        …（１）
【００５２】
なお、ΔＲ＞ΔＧ＞ΔＢの場合、ＫR ＝１、ＫG ＝ＫB ＝０．０としてもよい。このように加重加算数ＫR 、ＫG 、ＫB を設定すると、入力映像がＲ発光素子を強く発光せしめるような赤色系統の映像の場合には、１フレーム単位のＲＧＢ加重加算値がより大きな値となり、ゲインGainが小さくなり、調整後の白側リファレンス電圧R ＿RefW' が大きくなり、各色の入力信号の白レベルに対する発光素子の発光輝度（駆動電流）が低下する。つまり、画面全体が暗くなる。このため、Ｒ発光素子の経時的劣化速度を遅くさせることが可能となる。この結果、有機ＥＬディスプレイの寿命を延ばすことが可能となる。
【００５３】
このようにしても、ＲＧＢ信号とも同じゲインGainによって、白側リファレンス電圧を調整しているため、色相は変わらず、画面全体の明るさが変化するだけである。また、ＤＡ変換時のリファレンス電圧を制御することによって、映像入力信号の振幅を制御しているので、階調は低下しない。さらに、映像入力信号（表示信号）の振幅制御は、フィードフォワード制御によって行われているので、ハンチングも発生しない。
【００５４】
なお、各乗算器１１、１２、１３の出力信号を、それぞれ１フレーム毎に加算し、それらの加算結果を加算することにより、１フレーム単位のＲＧＢ加重加算値を算出するようにしてもよい。また、入力信号R ＿in，G ＿in，B ＿inそれぞれを１フレーム毎に積算し、得られた１フレーム単位のＲ積算値、Ｇ積算値およびＢ積算値それぞれに、対応する加重加算係数ＫR 、ＫG 、ＫB を乗算し、それらの乗算結果を加算することにより、１フレーム単位のＲＧＢ加重加算値を算出するようにしてもよい。
【００５５】
【発明の効果】
この発明によれば、有機ＥＬディスプレイに用いられているＲＧＢの発光素子の種類に起因して、それらのＲＧＢ毎の発光素子の間での発光輝度の経時的劣化速度にばらつきがある場合に、有機ＥＬディスプレイの寿命を延ばすことが可能となる。
【図面の簡単な説明】
【図１】アクティブ型の有機ＥＬディスプレイの基本画素構成を示す回路図である。
【図２】図２は、図１に示す基本画素構成において、表示信号Data(Vin) と有機ＥＬ素子の発光輝度（駆動電流）との関係を示すグラフである。
【図３】この発明の実施の形態である有機ＥＬディスプレイの輝度制御回路の構成を示している。
【図４】ゲイン算出回路１６の入出力特性の例を示すグラフである。
【図５】  R に対するリファレンス電圧調整回路を示す回路図である。
【図６】ＤＡＣ２の入出力特性を示すグラフである。
【図７】Ｒ発光素子、Ｇ発光素子およびＢ発光素子それぞれの発光輝度の経時的劣化速度の求め方の一例を示すグラフである。
【符号の説明】
１  リファレンス電圧制御回路
２  ＤＡＣ
３  有機ＥＬディスプレイ
１１、１２、１３  乗算器
１４  加算器
１５  積算回路
１６  ゲイン算出回路
１７  リファレンス電圧調整回路（Ref 電圧調整回路）
【図１】
0003883890.tif 000002
【図２】
0003883890.tif 000003
【図３】
0003883890.tif 000004
【図４】
0003883890.tif 000005
【図５】
0003883890.tif 000006
【図６】
0003883890.tif 000007
【図７】
0003883890.tif 000008